(57)【要約】【課題】  従前の性能を維持しつつ、金属編組シールド線を製作するための金属素線の本数の低減化を図り、同軸線の製作コストを低減する。【解決手段】  金属編組シールド線６を、各編目６Ａからアルミニウム箔テープ４が露呈する面積部分６ａを形成する粗い編目密度となるべく、その金属素線をまとめる本数（例えば、２本）と束数（例えば、８束）とに設定したので、アルミニウム箔テープ４と金属編組シールド線６との２重のシールド機能が得られ、しかも、金属編組シールド線６の各編目６Ａからアルミニウム箔テープ４が露呈する面積部分６ａが形成されるが、アルミニウム箔テープ４（導電性面）及び金属編組シールド線６にそれぞれ接触して軸長方向に沿う略直線状のドレン線５が配索されて、電気的な親和性が増し、シールド機能が高められ、従前の同軸線と変わらぬ性能を維持でき、金属素線をまとめる本数と束数の低減化を図れ、製作コストを低減できる。【選択図】  図１
2010177058.tif 000002
【特許請求の範囲】
【請求項１】
芯線と、該芯線を被覆する絶縁体と、該絶縁体の外周面に配設された金属層と、該金属層の外周面に接触して配索され、金属素線を数本にまとめた１束が軸長方向に沿って略直線状に延びるドレン線と、前記金属層の外周面に接触しかつ前記ドレン線に一部が接触して配設され、金属素線を数本にまとめて１束にし、これを数束にして編目状に編んだ金属編組シールド線と、最外周に位置して絶縁被覆となるジャケット、を備えて構成され、前記金属編組シールド線は、各編目から前記金属層が露呈する面積部分が形成されるような粗い編目密度となるべく、その金属素線をまとめる本数と束数とを設定したものであることを特徴とする同軸線。
【請求項２】
前記金属編組シールド線は、好ましくは、金属素線を２本にまとめて１束にし、これを８束にして編目状に編んだことを特徴とする請求項１記載の同軸線。
【請求項３】
前記ドレン線は、好ましくは、金属素線を７本にまとめて１束としたことを特徴とする請求項１又は２記載の同軸線。
【請求項４】
前記金属層は、アルミニウム箔テープ或いは樹脂材にアルミニウム箔を蒸着したものであることを特徴とする請求項１〜３のうちいずれか１つに記載の同軸線。
【発明の詳細な説明】
【技術分野】
【０００１】
本発明は、テレビジョンアンテナ、ラジオアンテナ、ＧＰＳアンテナなどの各種アンテナの受信信号伝送用、映像信号（ＲＧＢ信号等）の伝送用などに使用される同軸線に関し、特に、高周波障害や電磁界障害などを対策するためのシールド構造に関する。
【背景技術】
【０００２】
この種の同軸線は、信号線となる芯線を絶縁体で被覆し、その外側にシールド線を配設し、さらにその外側に絶縁被覆となるジャケットを施している。この場合、従来では、金属素線を数本にまとめて１束にし、これを１６束或いは２４束にして編目状に編んだ金属編組シールド線が用いられている（特許文献１〜４）。
【特許文献１】特開平６−２０３６６４号公報
【特許文献２】特公平７−１６４３号公報
【特許文献３】特開２００４−２１４１３８公報
【特許文献４】特開２００８−２７７１２３号公報
【発明の開示】
【発明が解決しようとする課題】
【０００３】
しかしながら、このような従来の同軸線にあっては、金属素線を数本にまとめて１束にし、これを１６束或いは２４束にして編目状に編まれてなる金属編組シールド線を設けているため、金属編組シールド線として使用している金属素線の本数がかなり多く、製作コストが嵩み、製品として高価となる問題があった。
【０００４】
本発明は、上記のような課題を解決するためなされたものであり、従前の同軸線と変わらぬ性能を維持しつつ、金属編組シールド線を製作するための金属素線の本数の低減化を図り、製作コストを低減して、製品として低価格で市場に提供することができる同軸線を提供することを目的とする。
【課題を解決するための手段】
【０００５】
上記した課題を解決するため、請求項１に係る発明の同軸線は、芯線と、該芯線を被覆する絶縁体と、該絶縁体の外周面に配設された金属層と、該金属層の外周面に接触して配索され、金属素線を数本にまとめた１束が軸長方向に沿って略直線状に延びるドレン線と、前記金属層の外周面に接触しかつ前記ドレン線に一部が接触して配設され、金属素線を数本にまとめて１束にし、これを数束にして編目状に編んだ金属編組シールド線と、最外周に位置して絶縁被覆となるジャケット、を備えて構成され、前記金属編組シールド線は、各編目から前記金属層が露呈する面積部分が形成されるような粗い編目密度となるべく、その金属素線をまとめる本数と束数とを設定したものであることを特徴とする。
【０００６】
請求項２に係る発明は、前記金属編組シールド線は、好ましくは、金属素線を２本にまとめて１束にし、これを８束にして編目状に編んだことを特徴とする。
【０００７】
請求項３に係る発明は、前記ドレン線は、好ましくは、金属素線を７本にまとめて１束としたことを特徴とする。
【０００８】
請求項４に係る発明は、前記金属層は、アルミニウム箔テープ或いは樹脂材にアルミニウム箔を蒸着したものであることを特徴とする。
【発明の効果】
【０００９】
請求項１に係る発明の同軸線によれば、金属層と金属編組シールド線と、の２重のシールド機能が得られ、しかも、金属編組シールド線の各編目から金属層が露呈する面積部分が形成されるが、金属層（導電性面）及び金属編組シールド線にそれぞれ接触して軸長方向に沿う略直線状のドレン線が配索されているため、電気的な親和性が増し、シールド機能が高められ、従前の同軸線と変わらぬ性能を維持できる。このように、金属編組シールド線の各編目から金属層が露呈する面積部分を形成されるような粗い編目密度にした結果、金属素線をまとめる本数と束数の低減化を図れ、製作コストを低減できるため、製品として低価格で市場に提供できる。
【００１０】
請求項２に係る発明によれば、金属編組シールド線を形成する金属素線の本数を２、束数を８と、設定することにより、従前の同軸線と変わらぬ性能を維持しつつ金属素線をまとめる本数と束数の低減化を図ることがより効果に実行できる。
【００１１】
請求項３に係る発明によれば、ドレン線を、金属素線を７本にまとめて１束とした構成とすることにより、使用する金属素線をできるだけ抑えつつ、より効果的にシールド機能が高められる。
【００１２】
請求項４に係る発明によれば、金属層をアルミニウム箔テープ或いは樹脂材にアルミニウム箔を蒸着したものから簡単に形成できる。
【発明を実施するための最良の形態】
【００１３】
以下、添付された図面を参照して本発明の実施の形態を詳述する。図１及び図２は、本発明の実施の形態に係る同軸線の構成を示しており、この同軸線１は、芯線２、絶縁体３、金属層としてのアルミニウム箔テープ４、ドレン線５、金属編組シールド線６及びジャケット７から構成されている。
【００１４】
前記芯線２は、信号線として機能するものであり、例えば、銅線又は銅合金等の高導電性金属からなる。前記絶縁体３は、プラスチックなどの樹脂材等からなり、芯線２を被覆している。前記アルミニウム箔テープ４は、絶縁体３の外周面に巻かれるなどして配設されているが、プラスチックなどの樹脂材にアルミニウム箔を蒸着したものを使用しても良い。
【００１５】
前記ドレン線５は、アルミニウム箔テープ４の外周面に接触して配索され、例えば、銅線、軟銅線又はこれらに錫や亜鉛等をメッキしたメッキ線等からなる金属素線を数本、好ましくは、７本にまとめて１束とし、これが軸長方向に沿って略直線状に延びている。
【００１６】
前記金属編組シールド線６は、アルミニウム箔テープ４の外周面に接触しかつドレン線５に一部が接触して配設され、上述したようなメッキ線等からなる金属素線を、好ましくは、２本にまとめて１束にし、これを８束にして編目状に編んだものである。
【００１７】
この場合、金属編組シールド線６は、各編目６Ａからアルミニウム箔テープ４が露呈する面積部分６ａ形成されるような粗い編目密度となっており、金属編組シールド線６の各編目６Ａのうち１本の直線に沿った隣接する編目６Ａの複数の交点６ｂがドレン線５にそれぞれ接触している。前記ジャケット７は、最外周に位置して絶縁被覆となるものであり、ポリ塩化ビニ─ルなどから形成されている。
【００１８】
従って、かかる同軸コネクタ１によれば、アルミニウム箔テープ４と金属編組シールド線６と、の２重のシールド機能が得られ、しかも、金属編組シールド線６の各編目６Ａからアルミニウム箔テープ４が露呈する面積部分６ａが形成されるが、アルミニウム箔テープ４（導電性面）及び金属編組シールド線６にそれぞれ接触して軸長方向に沿う略直線状のドレン線５が配索されているため、電気的な親和性が増し、シールド機能が高められ、従前の同軸線と変わらぬ性能を維持できる。
【００１９】
このように、金属編組シールド線６の各編目６Ａからアルミニウム箔テープ４が露呈する面積部分を形成されるような粗い編目密度にした結果、金属編組シールド線６を形成する際に、金属素線をまとめる本数と束数の低減化を図れ、製作コストを低減できるため、製品として低価格で市場に提供できる。
【００２０】
なお、上述の実施の形態では、好ましくは、金属素線を２本にまとめて１束にし、これを８束にして編目状に編むことで、金属編組シールド線６の各編目６Ａからアルミニウム箔テープ４が露呈する面積部分６ａが効果的に形成されるが、金属素線をまとめる本数と束数とは、これに限るものではない。
【００２１】
また、ドレン線５を、金属素線を７本にまとめて１束とした構成とすることにより、使用する金属素線をできるだけ抑えつつ、より効果的にシールド機能が高められるが、金属素線をまとめる本数はこれに限るものではない。さらに、金属層として、アルミニウム箔テープ４或いは樹脂材にアルミニウム箔を蒸着したものを使用すれば、簡単に形成できる。
【産業上の利用可能性】
【００２２】
製品として低価格で市場に提供できるため、テレビジョンアンテナ、ラジオアンテナ、ＧＰＳアンテナなどの各種アンテナの受信信号伝送用、映像信号（ＲＧＢ信号等）の伝送用などに広く使用される同軸線に有効的である。
【図面の簡単な説明】
【００２３】
【図１】本発明の実施の形態に係る同軸線の平面図である。
【図２】同上の同軸線の左側面図である。
【符号の説明】
【００２４】
１  同軸線
２  芯線
３  絶縁体
４  アルミニウム箔テープ
５  ドレン線
６  金属編組シールド線
６Ａ  編目
６ａ  面積部分
６ｂ  交点
７  ジャケット
【図１】
2010177058.tif 000003
【図２】
2010177058.tif 000004